(57)【特許請求の範囲】
【請求項１】
車載エンジンの直上に搭載されて吸入空気を同エンジンに供給する樹脂成形された吸気モジュールであって、その吸入空気通路内に突出して且つ、同通路に沿う態様で車両用の電子制御装置を収納した制御装置収納部が設けられてなり、この制御装置収納部は、前記吸入空気の空気流が当たる一側面を特定部位として、該特定部位に空気の流れに沿うかたちで放熱フィンを備えるとともに、当該収納部に収容された電子制御装置は、その回路基板上において、発熱部品が前記制御装置収納部の特定部位側に実装されてなり、低耐熱部品が同制御装置収納部の特定部位と反対側に実装されてなることを特徴とする電子制御装置一体式の吸気モジュール。
【請求項２】
前記発熱部品と前記特定部位側とを連結する放熱パターン部材を回路基板上に設置した請求項１に記載の電子制御装置一体式の吸気モジュール。
【請求項３】
前記放熱パターン部材を、低耐熱部品を実装した基板面とは反対の面に設置した請求項２記載の電子制御装置一体式の吸気モジュール。
【請求項４】
回路基板上において発熱部品を実装する領域と低耐熱部品を実装する領域との間に、導体パターンを一部除去した熱伝導遮断部を設けた請求項１乃至３の何れかに記載の電子制御装置一体式の吸気モジュール。
【請求項５】
前記放熱フィンは制御装置収納部寄りの基端部が広く、先端部が狭い形状である請求項１乃至４の何れかに記載の電子制御装置一体式の吸気モジュール。
【請求項６】
複数の放熱フィンを設け、その設置間隔を吸気通路内の放熱条件に応じて不等間隔とした請求項１乃至５の何れかに記載の電子制御装置一体式の吸気モジュール。
【請求項７】
複数の放熱フィンを設け、各放熱フィンの大きさを吸気通路内の放熱条件に応じて設定した請求項１乃至６の何れかに記載の電子制御装置一体式の吸気モジュール。
【請求項８】
吸気通路内において制御装置収納部の前記特定部位以外にも放熱フィンを設けた請求項１乃至７の何れかに記載の電子制御装置一体式の吸気モジュール。
【発明の詳細な説明】
【０００１】
【発明の属する技術分野】
本発明は、車両用の電子制御装置を一体的に収納した吸気モジュールに関するものである。
【０００２】
【従来の技術】
従来より、吸気モジュールに車両用電子制御装置（車載ＥＣＵ）を組み付けたものが提案されており、その冷却構造としてＥＣＵケースの周囲に多数の放熱フィンを設けたものがある。この構成では、吸気モジュール内の吸気通路を吸入空気が通過する際、放熱フィンを介してＥＣＵの熱が放出され、当該ＥＣＵが冷却されるようになっていた。
【０００３】
【発明が解決しようとする課題】
しかしながら上記従来構成では、吸気通路における吸入空気の流れが放熱フィンにより阻害され、それに伴う圧損（圧力損失）によりエンジン性能が低下するという問題が生じる。そのため、吸気通路内における放熱フィンを無くす必要があるが、放熱フィンを無くすとＥＣＵの放熱性が低下して内部温度が上昇し、電子部品が破壊されるという問題が懸念される。こうした実状から、放熱のための新たな対策が望まれている。
【０００４】
本発明は、上記問題に着目してなされたものであって、その目的とするところは、電子制御装置の温度上昇を抑制し、電子部品の破壊等を防止することができる電子制御装置一体式の吸気モジュールを提供することである。
【０００５】
【課題を解決するための手段】
請求項１に記載の車載エンジンの直上に搭載されて吸入空気を同エンジンに供給する樹脂成形された吸気モジュールでは、制御装置収納部の特定部位に吸入空気が当たるよう制御装置収納部が吸入空気通路内に突出して且つ、同通路に沿う態様で設けられている。電子制御装置の回路基板上において発熱部品は前記特定部位側に実装され、低耐熱部品はその反対側に実装される。この場合、発熱部品の熱が吸入空気により効率的に奪われる。そのため、電子制御装置の温度上昇が抑制され、電子部品の破壊等が防止できる。また、吸気通路内において制御装置収納部の前記特定部位に吸入空気の流れに沿わせて放熱フィンを設けた。この場合、放熱フィンにより放熱効率が向上する。また、放熱フィンは吸入空気の流れに沿って設けられるため、吸入空気の抵抗、すなわち圧損が低減できる。
【０００８】
また、請求項２に記載の発明では、発熱部品と特定部位側とを連結する放熱パターン部材を回路基板上に設置した。この場合、熱伝導性が向上し、より一層の冷却効果が実現できる。
【０００９】
請求項３に記載の発明では、前記放熱パターン部材を、低耐熱部品を実装した基板面とは反対の面に設置した。この場合、低耐熱部品の周囲温度の上昇が抑制できる。
【００１０】
請求項４に記載の発明では、回路基板上において発熱部品を実装する領域と低耐熱部品を実装する領域との間に、導体パターンを一部除去した熱伝導遮断部を設けた。この場合、発熱部品を実装する領域と低耐熱部品を実装する領域との接続パターンが最小限となり、発熱部品から低耐熱部品への熱伝導が抑制される。
従って、低耐熱部品の熱的な環境がより一層改善される。
【００１２】
上記請求項５に記載したように、放熱フィンは制御装置収納部寄りの基端部が広く、先端部が狭い形状であると良い。この場合、放熱性と圧損との双方が改善できる。つまり、放熱フィンは、基端部が広いために熱源である電子制御装置の熱が効率良く放出され、先端部が狭いために圧損（吸入空気の抵抗）が低減できる。
【００１３】
また、請求項６に記載したように、複数の放熱フィンの設置間隔を吸気通路内の放熱条件に応じて不等間隔としたり、請求項７に記載したように、各放熱フィンの大きさを吸気通路内の放熱条件に応じて設定したりすると良い。この場合、放熱フィンによる放熱特性がより一層改善される。
【００１４】
請求項８に記載の発明では、吸気通路内において制御装置収納部の前記特定部位以外にも放熱フィンを設けた。この場合、放熱フィンの数が増えることにより放熱量が増え、放熱特性がより一層改善される。
【００１５】
【発明の実施の形態】
本実施の形態の吸気モジュールは、ＥＣＵ（電子制御装置）が一体的に収納され、その状態で車載エンジンの直上に搭載されるものである。以下、その詳細を図面に従い説明する。
【００１６】
図１は吸気モジュールの外観を示す図面であり、（ａ）は平面図、（ｂ）は正面図である。図２は該吸気モジュールについてＥＣＵ収納部の構成を示す斜視図である。また、図３はＥＣＵ収納部付近の構成を示す図面であり、（ａ）はＥＣＵ収納部を示す側面図、（ｂ）はＥＣＵ収納部の断面図すなわち図１のＡ−Ａ線断面図である。但し図３ではＥＣＵ収納部にＥＣＵを収納した状態を示す。
【００１７】
図１に示すように、吸気モジュール１は、ポリプロピレン（ＰＰ）等にて樹脂成型されたケーシング２を基本構成要素とし、その中空部には吸気通路が形成されている。ケーシング２には空気取入口３及び空気出口４が設けられると共に空気取入口３付近にエアクリーナ５が収容されている。この場合、空気取入口３より導入された空気（外気）はエアクリーナ５を通過した後、図示しない吸気通路を介して空気出口４より排出される。吸気モジュール１より排出された空気は図示しない吸気配管を介してエンジンＥに吸入される。
【００１８】
また、ケーシング２にはＥＣＵ１０を収納するためのＥＣＵ収納部（制御装置収納部）６が設けられている。ＥＣＵ収納部６には、一面（図１（ａ）の下側面）のみが開口した収納穴７が設けられており、図２に示すように収納穴７の開口部よりＥＣＵ１０の回路基板１１が挿入されるようになっている。図の符号１２はＥＣＵ１０のコネクタ部１２である。
【００１９】
図１〜図３に示すように、ＥＣＵ収納部６にはその外周面において複数の補強リブ９が設けられている。この補強リブ９はケーシング２の成型時に一体成型される。補強リブ９は吸気モジュール１の長手方向に沿って等間隔に設けられている。
【００２０】
上記吸気モジュール１は、エアクリーナ収納部８がエンジンＥ上に直接搭載される。この場合、３カ所又は４カ所程度のネジ締結部（図示略）で吸気モジュール１がエンジンＥに固定される。
【００２１】
次に、ＥＣＵ収納部６についてケーシング２内部の構成を説明する。図４（ａ）は図１のＢ−Ｂ線断面図、（ｂ）はＥＣＵ収納部６を図４（ａ）のＣ方向から見た図面である。
【００２２】
ケーシング２内には吸気通路２ａが設けられており、吸気（吸入空気）は吸気通路２ａを図示の如く下流側に流れる。この場合、吸気は最終的に空気出口４から流れ出るため、吸気の流れは空気出口４に向けて傾いたものとなる。また、ＥＣＵ収納部６は吸気通路２ａに突出した状態で設けられ、更にＥＣＵ収納部６はそれよりも上流側の吸気通路２ａと同方向に設けられることから、ＥＣＵ収納部６の一側面（側面６ａ）に吸気が当たる構成となっている。この側面６ａが特許請求の範囲に記載した「特定部位」に相当する。
【００２３】
また、ＥＣＵ収納部６の側面６ａには、吸気の流れに沿わせて複数の放熱フィン２１が等間隔に設けられている。放熱フィン２１は、ＥＣＵ収納部６寄りの基端部が広く先端部が狭い、略三角形の形状をなしている。
【００２４】
図５はＥＣＵ１０の構成を示す平面図である。図５に示すように、回路基板１１には多数の電子部品が実装されている。多数の電子部品には出力回路など発熱量の大きい発熱部品２２や、マイクロコンピュータや汎用ＩＣなど耐熱性の低い低耐熱部品２３が含まれる。この場合、発熱部品２２はＥＣＵ収納部６の側面６ａ側（図の下側）に集めて実装され、低耐熱部品２３は発熱部品２２の熱の影響を避けるために反対側（図の上側）に実装されている。
【００２５】
上記構成の吸気モジュール１では、発熱部品２２の熱はＥＣＵ収納部６の側面６ａに伝達され、その側面６ａより放出される。このとき、ＥＣＵ収納部６の側面６ａは吸気が最も良く当たる部位であり、発熱部品２２の熱が吸気により効率的に奪われる。
【００２６】
また、放熱フィン２１を設けたことにより放熱効率が向上する。このとき、ＥＣＵ収納部６の側面６ａは発熱部品２２からの熱で温度が高く、その熱が更に放熱フィン２１に伝達される。吸気との温度差が大きいほど放熱性が向上するため、高温の放熱フィン２１から効率的な放熱が実現される。また、放熱フィン２１は吸入空気の流れに沿って設けられるため、吸気の流れが阻害されず、吸気の抵抗すなわち圧損が低減できる。
【００２７】
更に、放熱フィン２１はＥＣＵ収納部６寄りの基端部が広く、先端部が狭い形状であるため、放熱性と圧損との双方が改善できる。つまり、放熱フィン２１は、基端部が広いために熱源であるＥＣＵ１０の熱が効率良く放出され、先端部が狭いために圧損（吸入空気の抵抗）が低減できる。
【００２８】
以上のことから、本実施の形態の吸気モジュール１では、ＥＣＵ１０内部の温度上昇が抑制され、電子部品の破壊等が防止できる。故に、ＥＣＵ１０の損傷によりエンジン性能が低下するといった不都合が解消される。
【００２９】
次に、上記吸気モジュール１又はＥＣＵ１０の構成の一部を変更した変形例を説明する。
（１）図６に示すように、回路基板１１上において発熱部品２２を実装する領域と低耐熱部品２３を実装する領域との間に、導体パターン（銅箔）を一部除去した熱伝導遮断部２４を設けても良い。図６（ｂ）は、熱伝導遮断部２４を拡大して示す図面であり、発熱部品２２からの熱伝導はその多くが熱伝導遮断部２４で遮断される。つまりこの場合、発熱部品２２を実装する領域と低耐熱部品２３を実装する領域との接続パターンが最小限となり、発熱部品２２から低耐熱部品２３への熱伝導が抑制される。従って、低耐熱部品２３の熱的な環境がより一層改善される。
【００３０】
（２）図７に示すように、発熱部品２２とＥＣＵ収納部６の側面６ａとを連結する放熱パターン２５（放熱パターン部材）を回路基板１１上に設置しても良い。この場合、放熱パターン２５を介して発熱部品２２の熱が側面６ａ側に伝わり放出される。故に、熱伝導性が向上し、より一層の冷却効果が実現できる。
【００３１】
図７の構成において、放熱パターン２５を、低耐熱部品２３を実装した基板面とは反対の面に設置する構成としても良い。すなわち、図７に示す回路基板１１の裏側に放熱パターン２５を設置する。これにより、低耐熱部品２３の周囲温度の上昇が抑制できる。
【００３２】
（３）図８に示すように、複数の放熱フィン２１の設置間隔を吸気通路２ａ内の放熱条件に応じて不等間隔としても良い。具体的には、吸気流量やＥＣＵ１０側の発熱量の違いに応じて放熱フィン２１の設置間隔が決定されるのが望ましい。図８のように、吸気の流速が通過位置で大小異なる場合、流速が大きい部位ではフィン間隔を拡げ、流速が小さい部位ではフィン間隔を狭めると良い。また、ＥＣＵ１０内で発熱部品２２が多数設けられる部位についてはフィン間隔を狭めると良い。
【００３３】
或いは、放熱フィン２１の大きさを吸気通路２ａ内の放熱条件（吸気流速や発熱部品２２の数等）に応じて個別に設定する構成であっても良い。例えば、吸気流速が大きい部位では放熱フィン２１を小さくし、吸気流速が小さい部位では放熱フィン２１を大きくすると良い。上記構成によれば何れも、放熱フィン２１による放熱特性がより一層改善される。
【００３４】
（４）図９に示すように、吸気通路２ａ内においてＥＣＵ収納部６の側面６ａ以外に放熱フィン２６を設けても良い。この場合、放熱フィン２１，２６による放熱量が増え、放熱特性がより一層改善される。
【００３５】
（５）ＥＣＵ１０が縦向き（鉛直方向）に配置される構成であっても良い。つまり、図１０に示す吸気モジュール３０ではその一部にＥＣＵ収納部３１が設けられている。ＥＣＵ収納部３１は、それよりも上流側の吸気通路３２に対して略垂直に設けられ、ＥＣＵ収納部３１上方の特定部位に吸気が当たる構成となっている。この場合、ＥＣＵ１０では発熱部品が上方に実装され、低耐熱部品が下方に実装される。また、ＥＣＵ収納部３１上方の特定部位には、複数の放熱フィン３３が設けられている。なお、放熱フィン３３の構成は前記図４の構成等に準ずる。
【００３６】
要するに、熱は上方に向かう傾向にあり、低耐熱部品の熱的な保護が可能となる。また、上方に向かった熱は発熱部品の発熱と共にＥＣＵ収納部３１上方の特定部位から放出される。故に、上記の通りＥＣＵ１０の温度上昇が抑制できる。
【００３７】
上記図１０の構成（ＥＣＵ縦向き配置の構成）においても既述の通り、各種の別形態が適用できる。すなわち、
・回路基板に熱伝導遮断部を設ける構成（図６）、
・放熱パターン部材を設ける構成（図７）、
・放熱フィンを不等間隔に又は大きさ個別に設ける構成（図８）、
・特定部位以外にも放熱フィンを設ける構成（図９）、
が任意に適用できる。
【００３８】
（６）吸気モジュールとして、エアクリーナ収容部とＥＣＵ収納部とが別体に設けられる構成であっても良い。この場合、エアクリーナ収容部とＥＣＵ収納部とが別々に作製され、ネジ等の締結手段により組み付けられる。
【図面の簡単な説明】
【図１】吸気モジュールの外観を示す図。
【図２】ＥＣＵ収納部の構成を示す斜視図。
【図３】ＥＣＵ収納部付近の構成を示す図。
【図４】ケーシングの内部構造を示す図。
【図５】ＥＣＵの構成を示す平面図。
【図６】ＥＣＵの構成を示す平面図。
【図７】ＥＣＵの構成を示す平面図。
【図８】ケーシングの内部構造を示す平面図。
【図９】ケーシングの内部構造を示す平面図。
【図１０】ケーシングの内部構造を示す断面図。
【符号の説明】
１…吸気モジュール、２…ケーシング、２ａ…吸気通路、６…ＥＣＵ収納部、１０…ＥＣＵ、１１…回路基板、２１…放熱フィン、２２…発熱部品、２３…低耐熱部品、２４…熱伝導遮断部、２５…放熱パターン、２６…放熱フィン、３０…吸気モジュール、３１…ＥＣＵ収納部、３２…吸気通路、３３…放熱フィン。
【図１】
0003823838.tif 000002
【図２】
0003823838.tif 000003
【図３】
0003823838.tif 000004
【図４】
0003823838.tif 000005
【図５】
0003823838.tif 000006
【図６】
0003823838.tif 000007
【図７】
0003823838.tif 000008
【図８】
0003823838.tif 000009
【図９】
0003823838.tif 000010
【図１０】
0003823838.tif 000011